(57)【要約】【課題】プール用の給排口蓋は、コンクリート工事で設置された基礎ボルトに給排口蓋を確実に取り付け、ボルトとナットのゆるみによる給排口蓋の脱落を防止して、人が給排口蓋に吸い込まれないようにすると共に、更に、表蓋へ人が接触したことによる障害を防止できる給排口蓋を提供する。【解決手段】取付基部に突設した複数本の基礎ボルトと、各基礎ボルトにそれぞれボルト穴を介してナットで螺着する蓋枠と、蓋枠に取付ける格子状の表蓋とから構成される給排口蓋において、蓋枠に複数個のボルト穴を穿設する際に、１つのボルト穴は設計基準の穴径に穿設し、残りのボルト穴は寸法公差よりも大きく穿設したことを特徴とする給排口蓋で、蓋枠のボルト穴は基準穴として１箇所の正常ボルト穴を使用し、他のボルト穴はボルト間の寸法公差を考慮して、寸法公差よりも大きく穿設して、主蓋の取付けを確実にした。【選択図】図１
0003143072.tif 000002
【実用新案登録請求の範囲】
【請求項１】
取付基部に突設した複数本の基礎ボルトと、前記各基礎ボルトにそれぞれボルト穴を介してナットで螺着する蓋枠と、前記蓋枠に取付ける格子状の表蓋とから構成される給排口蓋において、上記蓋枠に複数個のボルト穴を穿設する際に、１つのボルト穴は設計基準のボルト穴径に穿設し、残りのボルト穴は設計基準の穴径よりも大きく穿設したことを特徴とする給排口蓋。
【請求項２】
上記格子状の表蓋が凸状に形成されてなることを特徴とする請求項１に記載の給排口蓋。
【請求項３】
上記蓋枠に上記表蓋を取付ける表蓋取付部のサポート軸に緩衝部材を挿入したことを特徴とする請求項１および請求項２に記載の給排口蓋。
【請求項４】
上記基礎ボルトに上記蓋枠をさらばね座金を介在して取付けると共に、前記蓋枠に表蓋もさらばね座金を介在して取付けたことを特徴とする請求項１から請求項３に記載の給排口蓋。
【考案の詳細な説明】
【技術分野】
【０００１】本考案は給排口蓋の製作取付に関する。
【背景技術】
【０００２】排（環）水口    プールの安全標準指針（文部科学省、国土交通省）を以下添付。
吸い込み事故を未然に防止するために、排（環）水口の蓋等をネジ、ボルト等で固定させるとともに、配管の取り付け口には吸い込み防止金具等を設置する等、二重構造の安全対策を施すことが必要である。排（環）水口の蓋等、それを固定しているネジ、ボルト等は、接触によるけがを防止できる仕様とすることや、蓋等の穴や隙間は、子どもが手足を引き込まれないような大きさとする等、材料の形状、寸法、材質、工法等についても十分な配慮が必要である。
【考案が解決しようとする課題】
【０００３】コンクリート工事で設置された基礎ボルトに、給排口蓋を確実に取り付け、使用するボルトと、ナットのゆるみによる給排口蓋の脱落を防止して、人が給排口蓋に吸い込まれないようにすると共に、更に、表蓋へ人が接触したことによる障害を防止できる給排口蓋を提供する。
【課題を解決するための手段】
【０００４】本考案１は、取付基部に突設した複数本の基礎ボルトと、前記各基礎ボルトにそれぞれボルト穴を介してナットで螺着する蓋枠と、前記蓋枠に取付ける格子状の表蓋とから構成される給排口蓋において、上記蓋枠に複数個のボルト穴を穿設する際に、１つのボルト穴は設計基準の穴径に穿設し、残りのボルト穴は寸法公差よりも大きく穿設したことを特徴とする給排口蓋で、蓋枠のボルト穴は基準穴として１箇所の正常ボルト穴を使用し、他のボルト穴はボルト間の寸法公差を考慮して長穴又は角穴を用いて、主蓋の取付けを確実にした。本考案２は、上記格子状の表蓋が凸状に形成されてなることを特徴とする請求項１に記載の給排口蓋で、人が給排口表蓋の表面に接触吸付けられた時に、流入面積を確保して給排口表蓋に人が吸い付けられないように、表蓋に厚さを持たせて縦横４方向から入液可能にした。本考案３は、上記蓋枠に上記表蓋を取付ける表蓋取付部のサポート軸に緩衝部材を挿入したことを特徴とする請求項１および請求項２に記載の給排口蓋で、人が給排口表蓋に接触した衝撃力を緩和して人のケガを防止可能にした。本考案４は、上記基礎ボルトに上記蓋枠をさらばね座金を介在して取付けると共に、前記蓋枠に表蓋もさらばね座金を介在して取付けたことを特徴とする請求項１から請求項３に記載の給排口蓋で、給排口蓋に使用するボルト、ナットの緩み止めを確実にする為に、表裏取付け方向決定が困難な「ばね座金」ではなく、取付け方向が容易な特種座金「さらばね座金」を使用して、給排口蓋の取付は専門外の一般人でも確実に固定できるようにした。
【考案の効果】
【０００５】本考案１の構成により、給排口蓋で、蓋枠のボルト穴は基準穴として１箇所の正常ボルト穴を使用し、他のボルト穴はボルト間の寸法公差を考慮して長穴又は角穴を用いて、主蓋の取付けを確実にした。本考案２の構成により、人が給排口表蓋の表面に接触固定した時に、流入面積を確保して人が給排口表蓋に吸い付けられないように、表蓋に厚さを持たせて縦横４方向から入液可能にした。本考案３の構成により、上記蓋枠に上記表蓋を取付ける表蓋取付部のサポート軸に緩衝部材を挿入したので、人が給排口表蓋に接触した衝撃力を緩衝して人のケガを防止可能にした。本考案４の構成により、給排口蓋に使用するボルト、ナットの緩み止めを確定する為に、取付け方向決定が困難な「ばね座金」ではなく、取付け方向が容易な特種座金「さらばね座金」を使用して、給排口蓋の取付はプールの管理従業員のみならず、一般人でも確実に固定できるようにした。
【考案を実施するための最良の形態】
【０００６】本考案に係る一実施例を、図１から図６を参照して以下説明する。
【実施例】
【０００７】図１は本考案の給排口蓋を外側より見た主蓋の平面図である。主蓋（１）を基礎ボルト（２）に取り付けるためには、先ず特種座金（３）を使用して設計基準穴径より大きく穿設した穴の不備を補充する。さらばね座金（４）は主蓋（１）を固定する六角ナット（５）の緩みを防止するために使用する。主蓋（１）を基礎ボルト（２）に対して確実に挿入するためには、基礎ボルト丸穴（６）と基礎ボルト長穴（７）および基礎ボルト拡大穴（８）を穿設することが必要である。表蓋（１０）を取り付けるためには主蓋（１）の主材に表蓋用ネジ穴（９）を穿設する。但し、基礎ボルト丸穴（６）は必ずしも丸形状が必要ではなく、長穴であっても主蓋（１）の正確な取り付けは可能であり、穴形状の指定はしない。図２は図１に於けるＡ―Ａ断面で、主蓋（１）を基礎ボルト（２）に取り付けた状態を示し、特種座金（３）、さらばね座金（４）、六角ナット（５）は記入していない。図３は主蓋（１）を基礎ボルト（２）に取り付けるための部品を示す図である。基礎ボルト（２）に主蓋（１）を挿入した後に挿入する特種座金（３）の取り付け穴径は設計基準径とし、更に外径は標準座金よりも拡大して、さらばね座金（４）が外れないようにしている。さらばね座金（４）の取り付け方向は最大外形面を特種座金（３）の上面に接するようにすれば正常である。図４は給排口蓋を外側より見た表蓋（１０）の取付け事状況を示す平面図で、既に主蓋（１）が基礎ボルト（２）に取り付けた状態を仮想線で表示している。表蓋（１０）には表蓋の取付台（１１）を表蓋の取り付け台のサポート軸に挿入する緩衝部材（１３）を同時に挿入して、最後にサポート軸（１２）の両側にサポート軸に挿入するさらばね座金（１５）をサポート軸に螺着する六角ナット（１６）によって締付けて取り付け完了する。表蓋（１０）を主蓋（１）に取り付けるには、表蓋の取付台（１１）に立設した表蓋の取付用の六角ボルト（１４）にさらばね座金（１７）を挿入後、表蓋取付用の六角ナット（１４）を螺合して、図１に図示の表蓋用ネジ穴（９）にねじ込んで固定する。図５は図４に於けるＢ―Ｂ断面である。表蓋（１０）は凸状に形成され、主蓋（１）の上部に取り付けられている状態を表示している。表蓋（１０）への取り付けは六角ボルト（１４）にさらばね座金（１７）を挿入して主蓋（１）のネジ穴（９）にねじ込んだ状態を示している。その下方に基礎ボルト（２）の仮想図が記入されているが主蓋（１）の取り付け用であり、表蓋とは無関係である。図６は機械のボルト、ナットの緩み止めに大量に使用されている「ばね座金」を使用しない原因について説明する。ばね座金は取り付ける際に表裏をどちらにするかが問題である。図６には取り付け方向の正誤を記載しているが、正方向なら問題はないが、誤ではばね座金分割部が右回転の締め付け時に先端鋭角部が座面にくい込むことがあり、ばね座金の作用を失うのでボルト、ナットの緩みが発生して取り付け品が外れることがある。これは企業の機械技術者にとっては初歩的な常識であるが、機械技術のない一般の従業員では理解できないことがあるので使用することは避けたほうが事故防止に繋がることになる。前記実施例では、プールの給排口蓋で、基礎ボルト（２）を４本用いた例を示したが、給排口蓋の取付場所が狭い場合には、基礎ボルト（２）を２〜３本にしたり、逆に、生コンクリート混練ホッパの原料投入口の転落防護蓋や農協の穀物サイロ等の投入口の転落防護蓋など、取付け強度を高めるために基礎ボルト（２）を６本用いることもできる。また、給排口蓋の主蓋（１）や表蓋（１０）の形状も短形とは限らず、取付場所の状況に応じて、三角形や円形など種々の形状にすることも可能である。
【産業上の利用可能性】
【０００８】本考案に係る給排口蓋は、プールのみならず、非水路側溝や生コンクリート混練ホッパの原料投入口の転落防護蓋や農協の穀物サイロ等の投入口の転落防護蓋に適用できる。
【図面の簡単な説明】
【０００９】
【図１】  図１は本考案に係る一実施例の給排口蓋を外側より見た主蓋の平面図である。
【図２】  図２は図１に於けるＡ―Ａ断面を示す断面図である。
【図３】  図３は主蓋を基礎ボルトに取付ける部品を示す図である。
【図４】  図４は給排口蓋を外側より見た表蓋の平面図である。
【図５】  図５は図４に於けるＢ−Ｂ断面図である。
【図６】  図６は給排口蓋用のボルト、ナットの緩み止めに「ばね座金」を使用しない説明図である。
【符号の説明】
【００１０】  １．主蓋
２．基礎ボルト
３．特種座金
４．主蓋取付用基礎ボルトに挿入するさらばね座金
５．主蓋取付用基礎ボルトに挿入する六角ナット
６．基礎ボルト丸穴
７．基礎ボルト長穴
８．基礎ボルト拡大穴
９．表蓋用ネジ穴
１０．表蓋
１１．表蓋の取付台
１２．表蓋と取付台のサポート軸
１３．サポート軸に挿入する緩衝部材
１４．表蓋の取付用の六角ボルト
１５．サポート軸に挿入するさらばね座金
１６．サポート軸に螺着する六角ナット
１７．表蓋の取付用の六角ナットに挿入するさらばね座金
【図１】
0003143072.tif 000003
【図２】
0003143072.tif 000004
【図３】
0003143072.tif 000005
【図４】
0003143072.tif 000006
【図５】
0003143072.tif 000007
【図６】
0003143072.tif 000008